(57)【要約】【課題】蒸着材料の補充や交換の作業を容易にし、さらに坩堝のメンテナンスについてもこれを容易にした、蒸着装置を提供する。【解決手段】被処理体に蒸着材料を蒸着させる蒸着装置である。蒸着室内に配置されて蒸着材料３を収容する収容容器４と、収容容器４内の蒸着材料３を加熱する加熱手段３と、を含む。収容容器４は、外容器８と、外容器８内に着脱可能に収容されて蒸着材料３を収容する内容器９と、を有している。【選択図】図２
2011122199.tif 000002
【特許請求の範囲】
【請求項１】
被処理体に蒸着材料を蒸着させる蒸着装置であって、
蒸着室内に配置されて前記蒸着材料を収容する収容容器と、
前記収容容器内の蒸着材料を加熱する加熱手段と、を含み、
前記収容容器は、外容器と、該外容器内に着脱可能に収容されて前記蒸着材料を収容する内容器と、を有してなることを特徴とする蒸着装置。
【請求項２】
前記収容容器には、前記内容器を前記外容器に当接させた状態に固定する固定手段が設けられていることを特徴とする請求項１記載の蒸着装置。
【請求項３】
前記内容器は、前記外容器と同じ材質からなっていることを特徴とする請求項１又は２に記載の蒸着装置。
【請求項４】
前記内容器に収容される前記蒸着材料は、その底面が前記内容器内部における底面形状に略一致するように成型されていることにより、少なくともその底部形状が前記内容器の内部形状における底部側の形状に略一致していることを特徴とする請求項１〜３のいずれか一項に記載の蒸着装置。
【請求項５】
前記外容器には、前記蒸着材料の昇華物又は気化物を通過させる開口を有した蓋が着脱可能に被着されていることを特徴とする請求項１〜４のいずれか一項に記載の蒸着装置。
【発明の詳細な説明】
【技術分野】
【０００１】
本発明は、蒸着装置に関する。
【背景技術】
【０００２】
真空蒸着法は、材料を加熱して昇華もしくは気化させることにより、基板等の被成膜体（被処理体）に成膜する方法であり、真空中で行うことで、基板表面を清浄に保ち、かつ高純度の膜質を生成することができる。したがって、各種半導体装置や電気光学装置の製造では、従来、真空蒸着法による薄膜形成が多くなされている。例えば、電気光学装置として有機ＥＬ装置（有機エレクトロルミネッセンス装置）を製造する場合には、マスク蒸着法により、正孔注入層、正孔輸送層、発光層、電子輸送層、電子注入層などとして機能する有機膜（有機機能層）を、基板上に順次成膜している。また、陰極や、これを封止する封止層として、金属膜や無機膜を成膜している。
このような真空蒸着法によって基板に成膜を行う蒸着装置としては、蒸着源として坩堝を備えたものが一般的である。（例えば、特許文献１参照）。
【先行技術文献】
【特許文献】
【０００３】
【特許文献１】特開２００９−１１４５１７号公報
【発明の概要】
【発明が解決しようとする課題】
【０００４】
ところで、真空蒸着法を用いて成膜を行う場合、蒸着材料に含まれる不純物や、蒸着材料の反応生成物に起因して種々の問題が生じる。
例えば、大気中で材料表面に反応生成物（例えば酸化物）が形成されるような昇華型蒸着材料を用いた場合では、前記反応生成物が昇華せずに坩堝内に堆積するため、蒸着レートの不安定化や基板への異物付着を生じ、製品の品質低下や歩留まりの低下を招いてしまう。
【０００５】
そこで、予め用いる蒸着材料中の反応生成物を低減しておくことが考えられる。しかし、例えば前記有機ＥＬ装置における陰極の形成材料などは大気中で容易に酸化するため、このような蒸着材料の反応を抑制するためには、坩堝への材料の充填やこの坩堝の蒸着装置への搬入などの際に、これらの処理を不活性雰囲気で一貫して行う必要があり、非常に困難である。
また、反応生成物がある程度生じてしまうことを許容した場合には、蒸着材料の補充や交換の頻度が高くなることから、これらの作業に手間がかかってしまい、また、坩堝のメンテナンスにも手間がかかってしまうといった課題がある。
【０００６】
本発明は前記事情に鑑みてなされたもので、その目的とするところは、特に蒸着材料の補充や交換の作業を容易にし、さらに坩堝のメンテナンスについてもこれを容易にした、蒸着装置を提供することにある。
【課題を解決するための手段】
【０００７】
前記課題を解決するため本発明の蒸着装置は、被処理体に蒸着材料を蒸着させる蒸着装置であって、
蒸着室内に配置されて前記蒸着材料を収容する収容容器と、
前記収容容器内の蒸着材料を加熱する加熱手段と、を含み、
前記収容容器は、外容器と、該外容器内に着脱可能に収容されて前記蒸着材料を収容する内容器と、を有してなることを特徴としている。
【０００８】
この蒸着装置によれば、蒸着材料を収容する収容容器を、外容器と、該外容器内に着脱可能に収容されて前記蒸着材料を収容する内容器と、を有した構成としているので、蒸着材料の補充や交換の際には、使用後の蒸着材料を収容した内容器ごと、使用前の蒸着材料を収容した内容器に交換すればよく、したがってその作業が容易になる。また、外容器については、洗浄等のメンテナンスがほとんど不要になり、一方、内容器についても容器自体が外容器に比べ小さくなり、構造も簡易になる分、洗浄等のメンテナンスが容易になる。
【０００９】
また、前記蒸着装置において、前記収容容器には、前記内容器を前記外容器に当接させた状態に固定する固定手段が設けられているのが好ましい。
このようにすれば、加熱手段によって収容容器の外容器を加熱することで該収容容器の内容器内の蒸着材料を加熱する場合に、固定手段によって内容器が外容器に当接した状態に固定されるため、外容器から内容器への熱伝導が良好に起こり、蒸着材料がより効率的に加熱されるようになる。
また、内容器を外容器に着脱可能に収容する必要上、これらの間にある程度のクリアランスを形成する必要がある。そこで、前記固定手段によって内容器を外容器に対し偏らせることなく、前記クリアランスが内容器の側周全体で均一になるように内容器を外容器に対して位置決めすることにより、内容器内の蒸着材料がむらなく均一に加熱されるようになり、これによっても蒸着材料がより効率的に加熱されるようになる。
【００１０】
また、前記蒸着装置において、前記内容器は、前記外容器と同じ材質からなっているのが好ましい。
このようにすれば、内容器と外容器との間で熱膨張係数が同じになり、熱膨張係数が異なることによる破損等の不都合が防止される。
【００１１】
また、前記蒸着装置において、前記内容器に収容される前記蒸着材料は、その底面が前記内容器内部における底面形状に略一致するように成型されていることにより、少なくともその底部形状が前記内容器の内部形状における底部側の形状に略一致しているのが好ましい。
このように、蒸着材料を内容器の内部形状における底部側の形状に略一致させ、したがって従来の粒状のものに代えて内容器の内部形状に対応する大きな塊状にすることにより、内容器に対する蒸着材料の充填密度が高くなり、これによって蒸着材料の補充や交換の頻度が低下する。
また、粒状の場合に比べて蒸着材料の表面積が小さくなることにより、酸化等の反応が抑制される。
さらに、蒸着材料中（蒸着材料間）での熱伝導性が高くなることにより、加熱効率が高くなって蒸着効率が高まる。
【００１２】
また、前記蒸着装置において、前記外容器には、前記蒸着材料の昇華物又は気化物を通過させる開口を有した蓋が着脱可能に被着されているのが好ましい。
このようにすれば、蒸着材料の不純物や反応生成物がパーティクルとなって収容容器の外に飛散するのが抑制され、したがって該パーティクルが被処理体に異物として付着したり、蒸着室内に付着して汚染するといった不都合が防止される。
【図面の簡単な説明】
【００１３】
【図１】本発明の蒸着装置の第１実施形態を示す側面図である。
【図２】第１実施形態に係る坩堝の概略構成を示す側断面図である。
【図３】有機ＥＬ装置を示す図であり、（ａ）は側断面図、（ｂ）は平面図である。
【図４】蒸着装置の第２実施形態に係る坩堝の概略構成を示す側断面図である。
【図５】蒸着装置の第２実施形態に係る坩堝の概略構成を示す側断面図である。
【発明を実施するための形態】
【００１４】
以下、本発明の実施形態について、図面を参照しつつ説明する。
（第１実施形態）
図１は、本発明の蒸着装置の第１実施形態を示す図であり、内部を透視した側面図である。図１において符号１は蒸着装置である。なお、この図１では、理解を容易にするため、本発明の特徴部分である坩堝４を、実際の縮尺より大きく記載している。
【００１５】
この蒸着装置１は、チャンバー（蒸着室）２と、このチャンバー２内に配置されて蒸着材料３を収容する坩堝（収容容器）４と、坩堝４内の蒸着材料３を加熱する蒸着用加熱装置（加熱手段）５と、を備えて構成されたものである。
チャンバー２には、排気孔２ａを介して真空ポンプ６が接続されており、この真空ポンプ６によってチャンバー２内は、成膜処理中やその待機中などの間、常時真空引きされている。
【００１６】
また、このチャンバー２内には、その上方に基板搬送部７が設けられている。基板搬送部７は、基板（被処理体）Ｗを保持する基板ホルダ（図示せず）と、蒸着マスク（図示せず）を保持するマスクホルダ（図示せず）と、これら基板Ｗ及び蒸着マスク、マスクホルダを一体にして、チャンバー２外からチャンバー２内に、さらにはその逆に搬送する公知の搬送機構と、を備えて構成されている。なお、チャンバー２には、基板Ｗを出し入れするための搬送口（図示せず）が、開閉可能に設けられている。
【００１７】
坩堝４は、その側断面図である図２に示すように、外容器８と、該外容器８内に着脱可能に収容された内容器９と、外容器８に着脱可能に被着された蓋１０とを有して構成されたものである。
これら外容器８、内容器９、蓋１０は、本実施形態では全て同じ材質で形成されており、高融点金属やセラミックス等によって形成されたものである。具体的には、前記蒸着用加熱装置５の加熱方法によっても異なり、例えばこの蒸着用加熱装置５が誘導加熱装置である場合、チタン、白金等の比較的高抵抗の金属（合金を含む）によって形成される。また、抵抗加熱装置である場合には、セラミックスや低抵抗の金属（合金を含む）が好適に用いられる。なお、本実施形態では、蒸着用加熱装置５が誘導加熱装置であるものとし、したがって外容器８、内容器９、蓋１０は、全てチタンによって形成されているものとする。
【００１８】
外容器８は有底円筒状のものであり、内容器９も有底円筒状のものである。内容器９は、所定のクリアランスを有しているものの、その平面視形状（底面形状）が外容器８の内部における底面形状に略一致して形成されている。ただし、高さについては、特に限定されることなく、本実施形態では外容器８に対して十分に低い高さになっている。このような構成のもとに、内容器９は外容器８に対して着脱可能に収容されるようになっている。なお、内容器９の上端部には、外容器８に対する内容器９の着脱性を損なわない位置に、適宜な治具で引っ掛けて引き出すための、係止部（図示せず）が設けられている。これにより、外容器８から内容器９を引き出す際、その操作が容易にできるようになっている。
【００１９】
蓋１０は、天板部１０ａを有する円筒状のもので、円筒部１０ｂの内面に、外容器８の上端部に係合する係合部１０ｃを形成したものである。また、前記天板部１０ａには、その中央部に、天板部１０ａの直径に比べて十分に小さい内径、例えば数ｍｍから１０ｍｍ程度の開口１０ｄが形成されている。このような構成によって蓋１０は、蒸着材料３の昇華物（あるいは気化物）である気体は開口１０ｄから容易に流出させるものの、蒸着材料３の不純物や反応生成物からなるパーティクル（固形物）については、坩堝４の外に飛散させることなく、内部に留めておくようになっている。
【００２０】
内容器９内に収容される蒸着材料３としては、例えば有機ＥＬ装置を構成する陰極の材料、すなわちマグネシウム、カルシウム等のアルカリ土類金属や銀など、また、有機ＥＬ素子の有機機能層（正孔注入層、正孔輸送層、発光層、電子輸送層、電子注入層等）となる有機膜の各形成材料など、さらには酸化ケイ素等の無機封止材料などが用いられる。もちろん、有機ＥＬ装置以外の用途においては、その用途に応じた種々の成膜材料が用いられる。
【００２１】
本実施形態では、特に有機ＥＬ装置の陰極材料である金属（例えばアルカリ土類金属）が用いられ、内容器９内に収容されている。この蒸着材料３は、円柱状、すなわちタブレット状に成型されたもので、その底面が内容器９内部における底面形状に略一致するように、すなわち収容可能なよう僅かに小径に成型されている。また、高さは、内容器９の内部空間の高さより十分に低い高さに成型されている。これにより、蒸着材料３は、少なくともその底部形状が内容器９の内部形状における底部側の形状に略一致し、全体としても、内容器９の内部形状における底部側の形状に略一致したものとなっている。
【００２２】
蒸着用加熱装置５は、前記したように本実施形態では誘導加熱装置からなるもので、この蒸着用加熱装置５上に坩堝４を載置し、坩堝４を加熱することにより、坩堝４内（内容器９内）の蒸着材料３を加熱するものである。すなわち、坩堝４の外容器８は蒸着用加熱装置５によって渦電流が生じさせられ、これによって外容器８は発熱し、内容器９を介して蒸着材料３を加熱するようになっている。
【００２３】
次に、このような構成の蒸着装置１による成膜方法について説明する。ここでは、有機ＥＬ装置の陰極の成膜を例にして説明する。したがって、以下の説明では、蒸着装置１は有機ＥＬ装置（有機エレクトロルミネッセンス装置）の製造装置として機能するようになる。
まず、有機ＥＬ装置の概略構成について説明する。
図３（ａ）、（ｂ）は、有機ＥＬ装置の一例であるラインヘッドを示す図であり、（ａ）は要部側断面図、（ｂ）は平面図である。
【００２４】
図３（ａ）、（ｂ）に示す有機ＥＬ装置５０は、電子写真方式を利用したプリンタに使用されるラインヘッドであり、複数の有機ＥＬ素子（有機エレクトロルミネッセンス素子）５３を配列してなる発光素子列（発光部ライン）５３Ａを１列または複数列、例えば、３列備えている。このようなラインヘッドでは、発光素子列５３Ａに含まれる有機ＥＬ素子５３のうち、所定の有機ＥＬ素子５３を点灯させて感光ドラム上に照射することにより、感光ドラム上に電荷による像（潜像）を形成する。
【００２５】
ここで、有機ＥＬ装置５０は細長い矩形形状を有しており、通常は１枚の大型基板Ｗ上に有機ＥＬ素子５３などを形成した後、単品サイズの複数枚の素子基板に切り出される。また、特にボトムエミッション方式の場合には、素子基板に封止基板が貼られることで、有機ＥＬ装置５０とされる。
【００２６】
すなわち、この有機ＥＬ装置５０は、図３（ａ）に示すように発光層５７で発光した光を画素電極５４側から出射するボトムエミッション方式とされ、素子基板５２側から発光光を取り出すようになっている。このため、素子基板５２としては透明あるいは半透明のものが採用される。例えば、ガラス、石英、樹脂（プラスチック、プラスチックフィルム）等が挙げられ、特にガラス基板が好適に用いられる。また、素子基板５２上には、画素電極５４に電気的に接続された駆動用トランジスタ５５ａ（薄膜トランジスタ）などを含む回路部５５が、発光素子列５３Ａに沿って形成されており、その上層側に有機ＥＬ素子５３が形成されている。
【００２７】
有機ＥＬ素子５３は、陽極として機能する画素電極５４と、この画素電極５４からの正孔を注入／輸送する正孔注入層及び正孔輸送層（合わせて正孔注入／輸送層５６と記す）と、有機ＥＬ物質からなる発光層５７と、電子を注入／輸送する電子注入層及び電子輸送層（合わせて電子注入／輸送層５８と記す）と、陰極５９とがこの順に積層された構造になっている。素子基板５２の回路部５５には、外部接続端子（図示せず）が接続されており、各有機ＥＬ素子５３を外部より制御可能となっている。
【００２８】
次に、このような構成の有機ＥＬ装置５０における、陰極５９の成膜について説明する。
まず、前記したように予め内容器９の内部における底部側の形状に略一致した蒸着材料３（陰極の形成材料）を、内容器９の内部に充填し、さらにこの内容器９を外容器８内に収容し、この外容器８に蓋１０を被着しておく。そして、この坩堝４をチャンバー２内に収容し、蒸着用加熱装置５上に載置しておく。
【００２９】
また、基板Ｗを、基板搬送部１０によってチャンバー２内の上方の所定位置に配置しておく。なお、この基板Ｗは、図３（ａ）に示した、画素電極４及び隔壁（図示せず）を形成し、さらに正孔注入／輸送層５６、発光層５７、電子注入／輸送層５８までを形成した個片化する前の素子基板５２を、多数含んでなるものとする。
そして、チャンバー２内を真空引きし、所定の真空度に達したら、蒸着用加熱装置５によって坩堝４を所定の温度に加熱する。
【００３０】
すると、チャンバー２内は所定の真空度になっているため、坩堝４が加熱されて蒸着材料３が加熱されることにより、蒸着材料３は昇華させられ、陰極の形成材料である昇華物が蓋１０の開口１０ｄを通って流出し、基板Ｗの被成膜面に向かって飛散する。そして、必要に応じて基板Ｗに設けられた蒸着マスクによって所定位置に選択的に蒸着し、陰極５９を形成する。
【００３１】
また、このようにして成膜を行った後、蒸着材料３が所定量以下に減少したり、酸化等による反応生成物が内容器９内に多く溜まった際には、蒸着レートの不安定化や基板Ｗへの異物付着を防止するため、蒸着材料の再充填（補充）や交換を行う必要がある。その際には、単に使用後の蒸着材料３を収容した内容器９ごと、使用前の蒸着材料３を収容した内容器９に交換することで、その作業を行うことができる。
【００３２】
したがって、前記構成の蒸着装置１にあっては、蒸着材料３を収容する坩堝４を、外容器８と、該外容器８内に着脱可能に収容されて蒸着材料３を収容する内容器９と、を有した構成としているので、蒸着材料３の補充や交換の際には、前記したように単に蒸着材料３ごと、内容器９に交換すればよく、したがってその作業が容易になる。
また、外容器８については、洗浄等のメンテナンスがほとんど不要になり、一方、内容器９についても容器自体が外容器８に比べ小さくなり、構造も簡易になる分、洗浄等のメンテナンスが容易になる。
【００３３】
また、外容器８と内容器９と蓋１０とを同じ材質にしているので、これら外容器８と内容器９と蓋１０との間で熱膨張係数が同じになり、熱膨張係数が異なることによる破損等の不都合を防止することができる。
また、蒸着材料３が、内容器９の内部形状における底部側の形状に略一致するように成型されており、したがって従来の粒状のもの比べて大きな塊状になっているので、内容器９に対する蒸着材料３の充填密度を高くすることができ、これによって蒸着材料３の補充や交換の頻度を少なくし、これら補充や交換に要する手間を軽減することができる。
また、粒状の場合に比べて蒸着材料３の表面積が小さくなることにより、酸化等の反応が抑制され、したがって反応生成物に起因する問題の発生を抑制することができる。
さらに、蒸着材料３中（蒸着材料間）での熱伝導性が高くなることによって加熱効率が高くなり、したがって加熱に要するエネルギー量に対する蒸着効率を高めることができる。
【００３４】
また、坩堝４として、外容器８に蓋１０を被着したものを用いているので、蒸着材料３の不純物や反応生成物からなるパーティクル（固形物）については、坩堝４の外に飛散させることなく、内部に留めておくことができる。したがって、該パーティクルが基板Ｗに異物として付着したり、チャンバー２内に付着して汚染するといった不都合を防止することができる。
【００３５】
（第２実施形態）
次に、本発明の蒸着装置の第２実施形態を説明する。この第２実施形態が先の第１実施形態と異なるところは、坩堝４に、その内容器９を外容器８に当接させた状態に固定するための固定手段が設けられている点である。
【００３６】
すなわち、本実施形態の坩堝４は、例えばその側断面図である図４に示すように、内容器９を外容器８にネジ１１で固定できるようになっている。この図４に示す例では、外容器８の底面にネジ孔１２が形成されており、また、内容器９の底面に雌ねじ（図示せず）が形成されている。したがって、外容器８内に内容器９を収容した後、ネジ１１を外容器８の底からネジ孔１２に挿し込み、その先端側を内容器９の雌ねじに螺合させることにより、内容器９の底面を外容器８内部の底面に当接させた状態に固定することができる。
【００３７】
また、坩堝４の側断面図である図５に示すように、外容器８の内周面に直接雌ねじ１３を形成し、内容器９の外周面に直接雄ねじ１４を形成することにより、内容器９を外容器８に当接させた状態で、外容器８内に内容器９を固定することができる。
【００３８】
このように、ネジ１１や雌ねじ１３、雄ねじ１４からなる固定手段により、内容器９が外容器８に当接した状態に外容器８内に内容器９を固定するようにしたので、蒸着用加熱装置５によって外容器８を加熱した際、外容器８から内容器９への熱伝導が良好に起こり、蒸着材料３がより効率的に加熱されるようになる。したがって、加熱効率を高めることにより、蒸着効率を高めることができる。
【００３９】
また、内容器９を外容器８に着脱可能に収容する必要上、これらの間にある程度のクリアランスを形成する必要がある。そこで、前記のネジ１１や雌ねじ１３、雄ねじ１４により、内容器９の中心軸を外容器８の中心軸に対し偏らせることなく一致させることで、前記クリアランスが内容器９の側周全体で均一になるように内容器９を外容器８に対して位置決めすることができる。これにより、内容器９内の蒸着材料３をむらなく均一に加熱することができ、これによっても蒸着材料をより効率的に加熱することができる。
【００４０】
なお、本発明は前記実施形態に限定されることなく、本発明の要旨を逸脱しない範囲で種々の変更が可能である。
例えば、前記実施形態では本発明の蒸着装置１を、有機ＥＬ装置の陰極の成膜に適用する例について説明したが、本発明の蒸着装置はこれに限定されることなく、種々の蒸着膜の形成に用いることができる。
【００４１】
また、坩堝４については、一つだけでなく複数を用いて、同時に、あるいは順番に蒸着を行うようにしてもよい。これにより、蒸着材料の交換などによるプロセスの中断を、短時間にすることができる。
さらに、複数の坩堝４に対してそれぞれに異なる蒸着材料を収容しておき、例えば蒸着用加熱装置５による加熱を制御することなどにより、所望の蒸着材料のみを昇華させるように構成してもよい。
【００４２】
また、前記実施形態では、蒸着材料３として円柱状（タブレット状）に成型された一つの塊（成型体）を用いたが、例えばこの円柱状の成型体を、中心軸と直交する方向に切断して複数の円盤体とし、このような円盤体からなる蒸着材料を、内容器９内に複数積層させて収容し、用いてもよい。
【符号の説明】
【００４３】
１…蒸着装置、２…チャンバー（蒸着室）、３…蒸着材料、４…坩堝（収容容器）、５…蒸着用加熱装置（加熱手段）、８…外容器、９…内容器、１０…蓋、１０ｄ…開口、１１…ネジ、１２…ネジ孔、１３…雌ねじ部、１４…雄ねじ部、Ｗ…基板（被処理体）
【図１】
2011122199.tif 000003
【図２】
2011122199.tif 000004
【図３】
2011122199.tif 000005
【図４】
2011122199.tif 000006
【図５】
2011122199.tif 000007